(57)【要約】【課題】高い止水性能を備えた扉装置を提供する。【解決手段】ドア枠１には、四周状の第１水密部材Ｓ１、第２水密部材Ｓ２が装着されており、第１水密部材Ｓ１の室外側面Ｓ１００、Ｓ１１０、Ｓ１２０、Ｓ１３０は、第２水密部材Ｓ２の室外側面Ｓ２００、Ｓ２１０、Ｓ２２０、Ｓ２３０よりも室外側かつ正面視外側に位置しており、第１水密部材Ｓ１の硬度は、第２水密部材Ｓ２の硬度よりも大きい。扉体閉鎖時には、扉体２の外縁面２１５−２１８が第１水密部材Ｓ１に圧接して第１水密面を形成し、主面部２１０の周縁面が第２水密部材Ｓ２に圧接して第２水密面を形成する。【選択図】図３
2014109169.tif 000002
【特許請求の範囲】
【請求項１】
室外側面部と室内側面部とを備えた扉体と、四周状のドア枠と、からなるドア装置において、
前記扉体の前記室内側面部は、扉体が閉鎖姿勢にある時に室内側空間に面する主面部と、前記主面部の外縁に位置する外縁面と、を備え、
前記外縁面は前記主面部に対して室外側に位置しており、
前記ドア枠には、四周状の第１溝部と、前記第１溝部に対して室内側かつ正面視内側に位置する四周状の第２溝部と、を備えており、
前記第１溝部及び第２溝部は、室外側に向かって開口していると共に、前記第１溝部には四周状の第１水密部材が、前記第２溝部には四周状の第２水密部材が装着されており、
前記第１水密部材の室外側面は、前記第２水密部材の室外側面よりも室外側かつ正面視外側に位置しており、
前記第１水密部材の硬度は、前記第２水密部材の硬度よりも大きく、
扉体閉鎖時には、前記四周状の外縁面が前記第１水密部材の前記室外側面に圧接して第１水密面を形成し、前記主面部の四周の周縁面が前記第２水密部材の前記室外側面に圧接して第２水密面を形成し、前記第１水密面は、前記第２水密面に対して、室外側かつ正面視外側に位置して形成されている、
ドア装置。
【請求項２】
前記第１水密部材の室外側面は全面が前記四周状の外縁面に面接触している、
請求項１に記載のドア装置。
【請求項３】
前記第２水密部材の室外側面は全面が前記主面部の四周の周縁面に面接触している、
請求項２に記載のドア装置。
【請求項４】
前記第１水密部材、前記第２水密部材は、共に、中実のゴム部材から形成されており、
前記第１水密部材を形成するゴム部材の硬度は、１５°〜２０°（ＪＩＳＫ６２５３）、
前記第２水密部材を形成するゴム部材の硬度は、１０°〜１５°（ＪＩＳＫ６２５３）、
である、請求項１〜３いずれか１項に記載のドア装置。
【発明の詳細な説明】
【技術分野】
【０００１】
本発明は、高い止水性能を備えたドア装置に関するものである。
【背景技術】
【０００２】
ドア装置は、一般に、四周枠状のフレームに対して表面材を貼着することで形成された扉体と、扉体によって開閉される四周枠状のドア枠と、からなる。気密性が要求されるドア装置では、ドア枠に四周状の溝部を形成すると共に、当該四周状の溝部には、四周状の気密部材を装着してなり、開口部閉鎖時には、扉体の室内側の四周の周縁の角部が気密部材を押圧することで、気密性を確保している（図１５参照）。水密性を備えたドア装置も知られているが、基本的な構成は同様であり、ドア枠に四周状の防止ゴム等の水密部材が装着されており、開口部閉鎖時には、扉体の室内側の四周の周縁の角部や四周状の凸部が水密部材を押圧することで、水密性を確保している（特許文献１参照）。
【０００３】
しかしながら、津波や洪水などの水害発生時に、扉体によって閉鎖された建物開口部に大きな水圧が作用した場合、この水圧でドア枠に取り付けられた水密部材が変形するなどして、扉体と水密部材の接触部に隙間が生じ、密閉状態を保持できなくなって、建物内部へ浸水が発生するおそれがある。例えば津波や洪水により大きな水圧が作用する可能性のある現場での使用に耐え得る止水性能を備えたドア装置の要望がある。
【０００４】
変形し難いより硬い水密部材を用いたり、開口部閉鎖時に、水密部材に対して扉体をより強い力で押圧して当該水密部材を圧縮変形させて、扉体と水密部材の密着度を大きくすることで、水圧の作用による隙間が生じ難くすることも考えられるが、単により硬い水密部材を用いたり、開口部閉鎖時の水密部材の圧縮量を大きくしたりすることは、手動による扉体の閉鎖時に、それだけ大きな操作力が必要となることを意味し、操作者が非力の場合には、扉体を閉鎖させることができなかったり、また、緊急時に迅速に扉体を閉鎖することに支障をきたすおそれがある。
【特許文献１】特開２００８−３１７１０
【発明の開示】
【発明が解決しようとする課題】
【０００５】
本発明は、扉体の閉鎖時の良好な操作性を確保するものでありながら、閉鎖姿勢の扉体に大きな水圧が作用した場合にも耐え得る止水性能を備えたドア装置を提供することを目的とするものである。
【課題を解決するための手段】
【０００６】
本発明が採用した技術手段は、
室外側面部と室内側面部とを備えた扉体と、四周状のドア枠と、からなるドア装置において、
前記扉体の前記室内側面部は、扉体が閉鎖姿勢にある時に室内側空間に面する主面部と、前記主面部の外縁に位置する外縁面と、を備え、
前記外縁面は前記主面部に対して室外側に位置しており、
前記ドア枠には、四周状の第１溝部と、前記第１溝部に対して室内側かつ正面視内側に位置する四周状の第２溝部と、を備えており、
前記第１溝部及び第２溝部は、室外側に向かって開口していると共に、前記第１溝部には四周状の第１水密部材が、前記第２溝部には四周状の  第２水密部材が装着されており、
前記第１水密部材の室外側面は、前記第２水密部材の室外側面よりも室外側かつ正面視外側に位置しており、
前記第１水密部材の硬度は、前記第２水密部材の硬度よりも大きく、
扉体閉鎖時には、前記四周状の外縁面が前記第１水密部材の前記室外側面に圧接して第１水密面を形成し、前記主面部の四周の周縁面が前記第２水密部材の前記室外側面に圧接して第２水密面を形成し、前記第１水密面は、前記第２水密面に対して、室外側かつ正面視外側に位置して形成されている、
ドア装置、である。
１つの態様では、前記第１水密部材の室外側面は全面が前記四周状の外縁面に面接触している。こうすることで、前記第１水密部材の室外側面と前記四周状の外縁面との密着性が強くなり、水密性能も向上する。
１つの態様では、前記四周状のドア枠の室内側には、垂直状の四周辺（第１辺１０３０、第１辺１１３０、第１辺１２３０、第１辺１３３０）が形成されており、前記四周状の第１溝部は、当該四周辺の正面視内側に位置しており、当該第１溝部に装着された前記第１水密部材は、扉体閉鎖時に、扉体の四周の側部（上面部２２、戸先側面部２３、戸尻側面部２４、下面部２５）と前記外縁面との角部ではなく、前記四周の側部の扉体正面視内側に位置して前記外縁面に面接触している。
１つの態様では、前記第２水密部材の室外側面は前記主面部の四周の周縁面に部分的に面接触している。こうすることで、扉体閉鎖時に、前記主面部の四周の周縁面を前記第２水密部材の室外側面に圧接する際の操作力を小さくしている。
１つの態様では、前記第２水密部材の室外側面は全面が前記主面部の四周の周縁面に面接触している。
１つの態様では、前記扉体において、前記室外側面部と前記主面部間の厚さは、前記室外側面部と前記外縁面間の厚さよりも大きい。
【０００７】
１つの態様では、前記第１水密部材、前記第２水密部材は、共に、中実のゴム部材から形成されており、
前記第１水密部材を形成するゴム部材の硬度は、１５°〜２０°（ＪＩＳＫ６２５３）、
前記第２水密部材を形成するゴム部材の硬度は、１０°〜１５°（ＪＩＳＫ６２５３）、である。
後述する実施形態では、前記第１水密部材を形成するゴム部材の硬度は１５°、前記第２水密部材を形成するゴム部材の硬度は１０°である。
【発明の効果】
【０００８】
本発明に係るドア装置の水密構造は、いずれも面接触により形成される第１水密面と第２水密面とから室内外方向に２重構造となっていると共に、室外側に位置する第１水密面が、変形し難い大きい硬度の第１水密部材から形成されているので、水害発生時の水圧には第１水密面が対抗し、第２水密面によって第１水密面から漏水した水の室内側への浸入を防ぐことによって、室内への浸水ないし漏水を可及的に防止する。
第２水密部材の硬度は、第１水密部材の硬度よりも小さいため、第２水密部材を第１水密部材と同じ硬度とした場合に比べて、扉体閉鎖時の操作力（第１水密部材及び第２水密部材の両方を略同時に押し込む力）は、より小さくてよい。
このように、本発明は、「扉体を閉鎖する際の操作性」と、「閉鎖姿勢のドア装置の止水性能」というトレードオフにある要求に同時に対処することができる。
【図面の簡単な説明】
【０００９】
【図１】本実施形態に係るドア装置を室外側から見た正面図である。
【図２】本実施形態に係るドア装置を室内側から見た正面図である。
【図３】本実施形態に係るドア装置の縦断面図である。
【図４】本実施形態に係るドア装置の横断面図である。
【図５】本実施形態に係る扉体を室外側から見た正面図である。
【図６】本実施形態に係る扉体の縦断面図である。
【図７】本実施形態に係る扉体の横断面図である。
【図８】図３の上側を拡大して示す部分図である。
【図９】図４の左側を拡大して示す部分図である。
【図１０】図４の右側を拡大して示す部分図である。
【図１１】図３の下側を拡大して示す部分図である。
【図１２】図３のドア枠のみを示す図である。
【図１３】図４のドア枠のみを示す図である。
【図１４】図８に類似する図であり、第２水密部材の他の実施形態を示す。
【図１５】従来のドア装置の構成を示す図である。
【発明を実施するための形態】
【００１０】
本発明の実施形態を図面に基づいて説明する。図１は、本実施形態に係るドア装置を室外側から見た正面図、図２は、当該ドア装置を室内側から見た正面図である。図３、図４は、それぞれ、本実施形態に係るドア装置の縦断面図、横断面図である。これら図１〜図４に示すように、ドア装置は、建物開口部を形成するドア枠１と、ドア枠１に回動可能に装着され、当該ドア枠１を開閉する扉体２と、からなる。扉体２は開き戸である。
【００１１】
ドア枠１は、水平状に延びる上枠１０と、垂直状に延びる戸先側縦枠１１と、垂直状に延びる戸尻側縦枠１２と、水平状に延びる下枠１３と、から四周枠状に形成されている。ドア枠１の詳細な説明については後述する。
【００１２】
［Ａ］扉体の構造
扉体２は、縦長方形状の室外側面部２０と、縦長方形状の室内側面部２１と、上面部２２と、戸先側面部２３と、戸尻側面部２４と、下面部２５と、を備えている。扉体２の室外側面部２０及び室内側面部２１の戸先側にはハンドル２Ａが装着されており、扉体２の室外側面部２０の戸尻側とドア枠１の戸尻側縦枠１２とには扉体２をドア枠１に対して回動可能に取り付けるための丁番２Ｂが設けてある。扉体２の室内側面部２１の上方にはドアクローザ２Ｃが設けてある。図示の態様では、ハンドル２Ａは、クレモンハンドルであり、また、丁番２Ｂとしていわゆる二軸丁番を採用しており、より密閉した状態に扉体２を閉鎖できるようになっている。
【００１３】
扉体２の室外側面部２０は全体が１つの垂直面を形成しているが、扉体２の室内側面部２１の周縁部には段部が形成されている。より具体的には、室内側面部２１は、垂直面を形成する縦長方形状の主面部２１０と、主面部２１０の四周の周縁の外側の断面視Ｌ形状の周縁部と、からなる。図２に示すように、主面部２１０は、扉体２が閉鎖姿勢にある時に室内側空間に面している。
【００１４】
図６、図７に示すように、外縁部は、主面部２１０の周縁から室外側に向かって主面部２１０に対して垂直状に延びる四つの辺、具体的には、上側水平辺２１１、戸先側縦辺２１２、戸尻側縦辺２１３、下側水平辺２１４と、上側水平辺２１１の室外側端から上方に向かって延びる上側外縁面２１５と、戸先側縦辺２１２の室外側端から側方に向かって延びる戸先側外縁面２１６と、戸尻側縦辺２１３の室外側端から側方に向かって延びる戸尻側外縁面２１７と、下側水平辺２１４の室外側端から下方に向かって延びる下側外縁面２１８と、からなる。
【００１５】
扉体２の室内側面部２１の主面部２１０、室内側面部２１の外縁面（上側外縁面２１５、戸先側外縁面２１６、戸尻側外縁面２１７、下側外縁面２１８）は、共に垂直面を形成しているが、外縁面（上側外縁面２１５、戸先側外縁面２１６、戸尻側外縁面２１７、下側外縁面２１８）は、主面部２１０に対して室外側に位置している。
【００１６】
室外側面部２０の上端と、室内側面部２１の上側外縁面２１５の上端は同じ高さに位置しており、上面部２２は、室外側面部２０の上端と室内側面部２１の上側外縁面２１５の上端を連結するように水平に延びている。
【００１７】
室外側面部２０の戸先側端と、室内側面部２１の戸先側外縁面２１６の戸先側端は同じ垂直面（室外側面部２０及び室内側面部２１に対する垂直面）内に位置しており、戸先側面部２３は、室外側面部２０の戸先側端と室内側面部２１の戸先側外縁面２１６の戸先側端を連結するように見込方向に延び、かつ、高さ方向に垂直に延びている。
【００１８】
室外側面部２０の戸尻側端と、室内側面部２１の戸尻側外縁面２１７の戸尻側端は同じ垂直面（室外側面部２０及び室内側面部２１に対する垂直面）内に位置しており、戸尻側面部２４は、室外側面部２０の戸尻側端と室内側面部２１の戸尻側外縁面２１７の戸尻側端を連結するように見込方向に延び、かつ、高さ方向に垂直に延びている。
【００１９】
室外側面部２０の下端と、室内側面部２１の下側外縁面２１８の下端は同じ高さに位置している。図３、図６に示す態様では、下面部２５は、逆凹状となっているが、下面部２５は、室外側面部２０の下端と室内側面部２１の下側外縁面２１８の下端を連結するように水平に延びていてもよい。
【００２０】
図８〜図１１に示すように、扉体２は、室外側面部２０と、室内側面部２１の主面部２１０と、の間の第１見込寸法Ｗ１と、室外側面部２０と、室内側面部２１の外縁面（上側外縁面２１５、戸先側外縁面２１６、戸尻側外縁面２１７、下側外縁面２１８）と、の間の第２見込寸法Ｗ２と、を備えており、第１見込寸法Ｗ１は第２見込寸法Ｗ２よりも大きい。すなわち、扉体２の厚さは、四周の周縁部において薄くなっており、室内側面部２１の周縁部に段部が形成されている。
【００２１】
扉体２の表面、具体的には、室外側面部２０、室内側面部２１、上面部２２、戸先側面部２３、戸尻側面部２４は、下面部２５は、金属製板材（鋼板）を所定形状に折り曲げることで複数枚の金属製表面材を形成し、所定形状を備えた金属製表面材を扉体２のフレーム構造に貼着することで、室外側面部２０、室内側面部２１、上面部２２、戸先側面部２３、戸尻側面部２４、下面部２５、が形成されている。所定形状を備えた金属製表面材同士の隣接部は適宜溶接される。扉体２の表面をどのように分割して複数の金属表面材から形成するかは、当業者において適宜採り得る事項である。
【００２２】
図５、図８〜図１１に示すように、扉体２のフレーム構造は、四周枠状の第１フレーム３と、第１フレーム３の外側に位置する四周枠状の第２フレーム４と、からなる。第１フレーム３は、扉体２の第１見込寸法Ｗ１を備えた部分に対応しており、第２フレーム４は、扉体の第２見込寸法Ｗ２を備えた部分に対応している。第１フレーム３と第２フレーム４は連結（溶接）されている。
【００２３】
第１フレーム３は、水平状に延びる上フレーム３０、垂直状に延びる戸先側縦フレーム３１、垂直状に延びる戸尻側縦フレーム３２、水平状に延びる下フレーム３３を四周枠状に連結することで形成されている。上フレーム３０、戸先側縦フレーム３１、戸尻側縦フレーム３２、下フレーム３３は、溝形鋼から形成されており、各フレーム３０〜３３の端部同士を溶接することで四周枠が形成されている。
【００２４】
図６、図７〜図１１に示すように、溝形鋼は、ウェブとフランジとから断面視コ字状を備えており、ウェブの幅寸法が、室外側面部２０と室内側面部２１の主面部２１０との間の厚さ（第１見込寸法Ｗ１−室内外の表面材の厚さ）に対応しており、一方のフランジが室外側に位置する垂直面を形成しており、他方のフランジが室内側に位置する垂直面を形成している。各フレーム３０〜３３を形成する溝形鋼は、それぞれ凹み部を内側に向けて、配置されている。より具体的には、上フレーム３０と下フレーム３３の凹み部は対向しており、戸先側縦フレーム３１と戸尻側縦フレーム３２の凹み部は対向している。
【００２５】
上フレーム３０は、溝形鋼の凹み部を下方に向けて水平方向に配置してなり、一方のフランジから形成される室外側垂直面３００と、他方のフランジから形成される室内側垂直面３０１と、ウェブから形成される上側の水平面３０２と、を備えている。
【００２６】
戸先側縦フレーム３１は、溝形鋼の凹み部を戸尻側に向けて垂直方向に配置してなり、一方のフランジから形成される室外側垂直面３１０と、他方のフランジから形成される室内側垂直面３１１と、ウェブから形成される戸先側の側面３１２と、を備えている。
【００２７】
戸尻側縦フレーム３２は、溝形鋼の凹み部を戸先側に向けて垂直方向に配置してなり、一方のフランジから形成される室外側垂直面３２０と、他方のフランジから形成される室内側垂直面３２１と、ウェブから形成される戸尻側の側面３２２と、を備えている。
【００２８】
下フレーム３３は、溝形鋼の凹み部を上方に向けて水平方向に配置してなり、一方のフランジから形成される室外側垂直面３３０と、他方のフランジから形成される室内側垂直面３３１と、ウェブから形成される下側の水平面３３２と、を備えている。
【００２９】
図３、図４に示すように、第２フレーム４は、水平状に延びる上フレーム４０、垂直状に延びる戸先側縦フレーム４１、垂直状に延びる戸尻側縦フレーム４２、水平状に延びる下フレーム４３を四周枠状に連結することで形成されている。上フレーム４０、戸先側縦フレーム４１、戸尻側縦フレーム４２は、スチール鋼板を折り曲げて形成されており、下フレーム４３は、溝形鋼である。各フレーム４０〜４３の端部同士を溶接することで四周枠が形成されている。後述するように、第２フレーム４は、さらに、横アングル材５、縦アングル材６、補強縦フレーム７、を備えており、上フレーム４０と横アングル材５、戸先側縦フレーム４１と縦アングル材６、戸尻側縦フレーム４２と補強縦フレーム７、とから、扉体２の上方側の表面材、戸先側の表面材、戸尻側の表面材の内面に当接して内側から補強する箱形のフレーム構造が形成されている。
【００３０】
図６に示すように、上フレーム４０は、断面視において、室外側垂直辺４００と、室内側垂直辺４０１と、室外側垂直辺４００と室内側垂直辺４０１の上端同士を連結する水平状の上辺４０２と、室外側垂直辺４００の下端から室内側に向かって水平状に延びる下辺４０３と、を備えている。
【００３１】
上フレーム３０の水平面３０２の幅寸法（見込寸法）は、上フレーム４０の上辺４０２の幅寸法（見込寸法）よりも大きい。上フレーム３０と上フレーム４０は、上フレーム３０の室外側垂直面３００と上フレーム４０の室外側垂直辺４００とを面一として、上フレーム３０の水平面３０２上に上フレーム４０の下辺４０３が当接し溶接されている。下辺４０３は上辺４０２に比べて短辺であり、上フレーム３０の水平面３０２には下辺４０３よりも室内側に位置して、Ｌ形鋼からなり、水平方向に延びる横アングル材５が設けてある。横アングル材５は水平状の第１辺５０と、垂直状の第２辺５１と、からなり、第１辺５０は、上フレーム３０の水平面３０２に当接し溶接されており、第２辺５１は、上フレーム４０の室内側垂直辺４０１に当接し溶接されている。１つの態様では、横アングル材５は上フレーム４０と同じ長さを備えており、横アングル材５の端部は、それぞれ上フレーム４０の戸先側端、戸尻側端にまで達している。
【００３２】
扉体２の室外側面部２０の上方部位は、上フレーム３０の室外側垂直面３００と上フレーム４０の室外側垂直辺４００に当接し貼着されている。扉体２の上面部２２は、上フレーム４０の上辺４０２に当接し貼着されている。扉体２の上側外縁面２１５は、上フレーム４０の室内側垂直辺４０１に当接し貼着されている。扉体２の上側水平辺２１１は、上フレーム３０の水平面３０２の室内側部位に当接し貼着されている。室内側面部２１の主面部２１０の上方部位は、上フレーム３０の室内側垂直面３０１に当接し貼着されている。
【００３３】
図７に示すように、垂直方向に延びる戸先側縦フレーム４１は、断面視において、見付方向に延びる室外側垂直辺４１０と、見付方向に延びる室内側垂直辺４１１と、室外側垂直辺４１０と室内側垂直辺４１１の戸先側端同士を連結するように見込方向に延びる外側辺４１２と、室外側垂直辺４１０の内側端から室内側に向かって見込方向に延びる内側辺４１３と、を備えている。
【００３４】
戸先側縦フレーム３１の側面３１２の見込寸法は、戸先側縦フレーム４１の外側辺４１２の見込寸法よりも大きい。戸先側縦フレーム３１と戸先側縦フレーム４１は、戸先側縦フレーム３１の室外側垂直面３１０と戸先側縦フレーム４１の室外側垂直辺４１０とを面一として、戸先側縦フレーム３１の側面３１２に戸先側縦フレーム４１の内側辺４１３が当接し溶接されている。内側辺４１３は外側辺４１２に比べて短辺であり、戸先側縦フレーム３１の側面３１２には、内側辺４１３よりも室内側に位置して、Ｌ形鋼からなり、垂直方向に延びる縦アングル材６が設けてある。縦アングル材６は見込方向に延びる第１辺６０と、見付方向に延びる第２辺６１と、からなり、第１辺６０は、戸先側縦フレーム３１の側面３１２に当接し溶接されており、第２辺６１は、戸先側縦フレーム４１の室内側垂直辺４１１に当接し溶接されている。１つの態様では、縦アングル材６の端部は、それぞれ上フレーム３０、下フレーム３３に溶接されているが、縦アングル材６の端部は、それぞれ上フレーム３０、下フレーム３３にまで達していなくてもよい。
【００３５】
扉体２の室外側面部２０の戸先側部位は、戸先側縦フレーム３１の室外側垂直面３１０と戸先側縦フレーム４１の室外側垂直辺４１０に当接し貼着されている。扉体２の戸先側面部２３は、戸先側縦フレーム４１の外側辺４１２に当接し貼着されている。扉体２の戸先側外縁面２１６は、戸先側縦フレーム４１の室内側垂直辺４１１に当接し貼着されている。扉体２の戸先側縦辺２１２は、戸先側縦フレーム３１の側面３１２の室内側部位に当接し貼着されている。室内側面部２１の主面部２１０の戸先側部位は、戸先側縦フレーム３１の室内側垂直面３１１に当接し貼着されている。
【００３６】
図７に示すように、垂直方向に延びる戸尻側縦フレーム４２は、断面視において、見込方向に延びる外側辺４２０と、外側辺４２０の室内側端から室外側面部２０及び室内側面部２１に平行に見付方向に延びる第１室内側垂直辺４２１と、第１室内側垂直辺４２１から室内側に見込方向に延びる中間側辺４２２と、中間側辺４２２の室内側端から室外側面部２０及び室内側面部２１に平行に見付方向に延びる第２室内側垂直辺４２３と、第２室内側垂直辺４２３から室外側に向かって見込方向に延びる内側辺４２４と、を備えている。戸尻側縦フレーム４２の内側辺４２４は、戸尻側縦フレーム３２の側面３２２の室内側部位に当接し溶接されている。
【００３７】
戸尻側縦フレーム３２の戸尻側かつ戸尻側縦フレーム４２の室外側に位置して、補強縦フレーム７が配置されている。補強縦フレーム７は、溝形鋼を凹状に垂直方向に配置してなり、一方のフランジから形成される内側垂直面７０と、他方のフランジから形成される外側垂直面７１と、ウェブから形成される室外側垂直面７２と、を備えている。補強縦フレーム７は、丁番２Ｂの取付用の補強ライナーとして機能する。１つの態様では、補強縦フレーム７の上下端は、上フレーム３０、下フレーム３３にまで達しており、補強縦フレーム７の上下端は、上フレーム３０、下フレーム３３にそれぞれ溶接されている。
【００３８】
補強縦フレーム７は、当該補強縦フレーム７の室外側垂直面７２と、戸尻側縦フレーム３２の室外側垂直面３２０と、を面一として、内側垂直面７０を戸尻側縦フレーム３２の側面３２２の室外側部位に当接し溶接されている。補強縦フレーム７の外側垂直面７１は、戸尻側縦フレーム４２の外側辺４２０に当接し溶接されている。
【００３９】
扉体２の室外側面部２０の戸尻側部位は、戸尻側縦フレーム３２の室外側垂直面３２０と補強縦フレーム７の室外側垂直面７２に当接し貼着されている。扉体２の戸尻側面部２４は、戸尻側縦フレーム４２の外側辺４２０に当接し貼着されている。扉体２の戸尻側外縁面２１７は、戸尻側縦フレーム４２の第１室内側垂直辺４２１に当接し貼着されている。扉体２の戸尻側縦辺２１３は、戸尻側縦フレーム４２の中間側辺４２２に当接し貼着されている。室内側面部２１の主面部２１０の戸尻側部位は、戸尻側縦フレーム４２の第２室内側垂直辺４２３及び戸尻側縦フレーム３２の室内側垂直面３２１に当接し貼着されている。
【００４０】
図６に示すように、下フレーム４３は、ウェブとフランジとから断面視コ字状を備えた溝形鋼からなり、ウェブの幅寸法が、室外側面部２０と室内側面部２１の下側外縁面２１８との間の厚さ（第２見込寸法Ｗ２−室内外の表面材の厚さ）に対応しており、下フレーム４３は、溝形鋼を逆凹状に水平方向に配置してなり、一方のフランジから形成される室外側垂直面４３０と、他方のフランジから形成される室内側垂直面４３１と、ウェブから形成される上側の水平面４３２と、を備えている。下フレーム３３の室外側垂直面３３０と、下フレーム４３の室外側垂直面４３０を面一にして、下フレーム３３の水平面３３２に下フレーム４３の水平面４３２を当接し溶接してなる。下フレーム４３の水平面４３２の幅寸法（見込寸法）は下フレーム３３の水平面３３２の幅寸法（見込寸法）よりも小さく、室内側が段部状となっている。
【００４１】
扉体２の室外側面部２０の下方部位は、下フレーム３３の室外側垂直面３３０と下フレーム４３の室外側垂直面４３０に当接し貼着されている。扉体２の下側外縁面２１８は、下フレーム４３の室内側垂直面４３１に当接し貼着されている。扉体２の下側水平辺２１４は、下フレーム３３の水平面３３２の室内側部位に当接し貼着されている。室内側面部２１の主面部２１０の下方部位は、下フレーム３３の室内側垂直面３３１に当接し貼着されている。
【００４２】
図４、図５、図７に示すように、扉体２の室外側面部２０と、室内側面部２１の主面部２１０との間には、扉体２の高さ方向に垂直に延びる中骨８が設けてある。中骨８は、扉体２の幅方向（見付方向）に間隔を存して複数本配置されている。
【００４３】
中骨８は、断面視方形状の角形鋼管からなり、見付方向に延びる室外側垂直面８０と、見付方向に延びる室内側垂直面８１と、見込方向に延びる左右の側面８２、８３と、を備えている。中骨８の見込寸法は、第１フレーム３の見込寸法と同じであり、室外側垂直面８０が室外側面部２０の内面に当接し溶接され、室内側垂直面８１が室内側面部２１の主面２１０の内面に当接し溶接される。中骨８の上端は上フレーム３０に溶接されており、下端は下フレーム３３に溶接されている。
【００４４】
扉体２の高さ方向の略中間部位には、平面視において扉体２の見込方向（厚さ方向）の中央に位置して、扉体２の幅方向に水平に延びる丸パイプ状の横材９が設けてある。各中骨８の所定の高さ位置には、横材９を挿通させる挿通孔が形成されており、横材９は各中骨８の挿通孔を貫通すると共に、戸先側端部が戸先側縦フレーム３１の側面３１２に当接し溶接され、戸尻側端部が戸尻側縦フレーム３２の側面３２２に当接し溶接される。横材９を扉体２の中心に横通しで配置することで、扉体２の反り、歪みを防止すると共に、矯正する。横材９と中骨８の挿通孔の周縁部も溶接されている。複数の横材９は、高さ方向に間隔を存して配置してもよい。
【００４５】
［Ｂ］ドア枠の構造
図３、図８、図１２に示すように、上枠１０は、室外側面部１００と、室内側面部１０１と、全閉姿勢にある扉体２の上面部２２に近接対向するように、開口幅方向に水平状に延びる水平面１０２と、水平面１０２の室内側端部の下側に形成され、全閉姿勢にある扉体２の上側外縁面２１５に対向するように、開口幅方向に水平状に延びる第１溝部１０３と、第１溝部１０３の室内側かつ下側に形成され、全閉姿勢にある扉体２の室内側面部２１の主面２１０の上方部位に対向するように、開口幅方向に水平状に延びる第２溝部１０４と、を備えている。
【００４６】
図４、図９、図１３に示すように、戸先側縦枠１１は、室外側面部１１０と、室内側面部１１１と、全閉姿勢にある扉体２の戸先側面部２３に近接対向するように、開口高方向に垂直状に延びる垂直面１１２と、垂直面１１２の室内側端部の内側に形成され、全閉姿勢にある扉体２の戸先側外縁面２１６に対向するように、開口高方向に垂直状に延びる第１溝部１１３と、第１溝部１１３の室内側かつ内側に形成され、全閉姿勢にある扉体２の室内側面部２１の主面２１０の戸先側部位に対向するように、開口高方向に垂直状に延びる第２溝部１１４と、を備えている。
【００４７】
図４、図１０、図１３に示すように、戸尻側縦枠１２は、室外側面部１２０と、室内側面部１２１と、全閉姿勢にある扉体２の戸尻側面部２４に近接対向するように、開口高方向に垂直状に延びる垂直面１２２と、垂直面１２２の室内側端部の内側に形成され、全閉姿勢にある扉体２の戸尻側外縁面２１７に対向するように、開口高方向に垂直状に延びる第１溝部１２３と、第１溝部１２３の室内側かつ内側に形成され、全閉姿勢にある扉体２の室内側面部２１の主面２１０の戸尻側部位に対向するように、開口高方向に垂直状に延びる第２溝部１２４と、を備えている。
【００４８】
図３、図１１、図１２に示すように、下枠１３は、室外側面部１３０と、室内側面部１３１と、全閉姿勢にある扉体２の下面部２５に近接対向するように、開口幅方向に延びる傾斜面１３２と、傾斜面１３２の室内側端部の上側に形成され、全閉姿勢にある扉体２の下側外縁面２１８に対向するように、開口幅方向に水平状に延びる第１溝部１３３と、第１溝部１３３の室内側かつ上側に形成され、全閉姿勢にある扉体２の室内側面部２１の主面２１０の下方部位に対向するように、開口幅方向に水平状に延びる第２溝部１３４と、を備えている。
【００４９】
ドア枠１の第１溝部１０３、１１３、１２３、１３３は室外側に向かって開口する四周状の溝部を形成し、第１溝部１０３、１１３、１２３、１３３には第１水密部材Ｓ１が四周状に設けられる。第１水密部材Ｓ１は、横方向に延びる上側部Ｓ１０、下側部Ｓ１３、縦方向に延びる戸先側部Ｓ１１、戸尻側部Ｓ１２と、からなる。ドア枠１の第２溝部１０４、１１４、１２４、１３４は室外側に向かって開口する四周状の溝部を形成し、第２溝部１０４、１１４、１２４、１３４には第２水密部材Ｓ２が設けられる。第２水密部材Ｓ２は、横方向に延びる上側部Ｓ２０、下側部Ｓ２３、縦方向に延びる戸先側部Ｓ２１、戸尻側部Ｓ２２と、からなる。本実施形態に係るドア装置は、四周状の第１水密部材Ｓ１と第２水密部材Ｓ２とからなる、いわゆるダブルタイトドアないしダブルシールドアである。
【００５０】
図８、図１２に示すように、第１溝部１０３は、水平面１０２の室内側端部から下方に延びる第１辺１０３０、第１辺１０３０の下端から室内側へ水平状に延びる第２辺１０３１、第２辺１０３１の室内側端から下方に延びる第３辺１０３２、第３辺１０３２の下端から室外側へ水平状に延びる第４辺１０３３と、によって、水平面１０２に対して下側に位置して形成されている。第２辺１０３１の先端（室外側端部）と第４辺１０３３の先端（室外側端部）は同じ垂直面上に位置している。
【００５１】
第１溝部１０３には、第１水密部材Ｓ１の上側部Ｓ１０が嵌め込まれている。上側部Ｓ１０は断面視略方形状を備えており、上面、室内側面、下面が、それぞれ、第２辺１０３１、第３辺１０３２、第４辺１０３３の内面に接触している。上側部Ｓ１０の室外側面Ｓ１００は、第２辺１０３１の先端（室外側端部）と第４辺１０３３の先端（室外側端部）を通る垂直面よりも室外側に位置している。扉体２の閉鎖姿勢時には、扉体２の室内側面部２１の上側外縁面２１５が上側部Ｓ１０の室外側面Ｓ１００の全面に接触し、上側部Ｓ１００を押圧して所定寸法（例えば、１ｍｍ〜２ｍｍ）圧縮した状態となる。この圧接状態において、扉体２の室内側面部２１の上側外縁面２１５と、第２辺１０３１の先端（室外側端部）及び第４辺１０３３の先端（室外側端部）と、は依然として離間している。
【００５２】
第２溝部１０４は、第３辺１０３３を室内側に延長して形成された第１辺１０４０、第１辺１０４０の室内側端から下方に延びる第２辺１０４１、第２辺１０４１の下端から室外側へ水平状に延びる第３辺１０４２と、によって、第１溝部１０３の室内側かつ下側に形成されている。
【００５３】
第２溝部１０４には、第２水密部材Ｓ２の上側部Ｓ２０が嵌め込まれている。上側部Ｓ２０は断面視略方形状を備えており、上面、室内側面、下面が、それぞれ、第１辺１０４０、第２辺１０４１、第３辺１０４２の内面に接触している。上側部Ｓ２０の室外側面Ｓ２００は、第３辺１０４２の先端（室外側端部）よりも室外側に位置している。扉体２の閉鎖姿勢時には、扉体２の室内側面部２１の主面部２１０の上側周縁面が上側部Ｓ２０の室外側面Ｓ２００と面接触し、上側部Ｓ２００を押圧して所定寸法（例えば、１ｍｍ〜２ｍｍ）圧縮した状態となる。この圧接状態において、扉体２の室内側面部２１０の上側周縁面と、第３辺１０４２の先端（室外側端部）と、は依然として離間している。また、第２溝部１０４の上面を形成する第１辺１０４０は、上側水平辺２１１よりも上方に位置しており、上側部Ｓ２０の室外側面Ｓ２００には、扉体２の室内側の角部（上側水平辺２１１と室内側面部２１０の上側周縁面とで形成される）が当接して押圧するようになっている。
【００５４】
図９、図１３に示すように、第１溝部１１３は、見込方向に延びる垂直面１１２の室内側端部から見付方向かつ内方に延びる第１辺１１３０、第１辺１１３０の内方端から室内側へ見込方向かつ垂直状に延びる第２辺１１３１、第２辺１１３１の室内側端から見付方向かつ内方に延びる第３辺１１３２、第３辺１１３２の内方端から室外側へ見込方向かつ垂直状に延びる第４辺１１３３と、によって、垂直面１１２に対して内側（戸尻側）に位置して形成されている。第２辺１１３１の先端（室外側端部）と第４辺１１３３の先端（室外側端部）は同じ垂直面上に位置している。
【００５５】
第１溝部１１３には、第１水密部材Ｓ１の戸先側部Ｓ１１が嵌め込まれている。戸先側部Ｓ１１は断面視略方形状を備えており、第１側面、室内側面、第２側面が、それぞれ、第２辺１１３１、第３辺１１３２、第４辺１１３３の内面に接触している。戸先側部Ｓ１１の室外側面Ｓ１１０は、第２辺１１３１の先端（室外側端部）と第４辺１１３３の先端（室外側端部）を通る垂直面よりも室外側に位置している。扉体２の閉鎖姿勢時には、扉体２の室内側面部２１の戸先側外縁面２１６が戸先側部Ｓ１１の室外側面Ｓ１１０の全面に接触し、戸先側部Ｓ１１０を押圧して所定寸法（例えば、１ｍｍ〜２ｍｍ）圧縮した状態となる。この圧接状態において、扉体２の室内側面部２１の戸先側外縁面２１６と、第２辺１１３１の先端（室外側端部）及び第４辺１１３３の先端（室外側端部）と、は依然として離間している。
【００５６】
第２溝部１１４は、第４辺１１３３を室内側に延長して形成された第１辺１１４０、第１辺１１４０の室内側端から見付方向かつ内方に延びる第２辺１１４１、第２辺１１４１の内方端から室外側へ見込方向かつ垂直状に延びる第３辺１１４２と、によって、第１溝部１１３の室内側かつ内側に形成されている。
【００５７】
第２溝部１１４には、第２水密部材Ｓ２の戸先側部Ｓ２１が嵌め込まれている。戸先側部Ｓ２１は断面視略方形状を備えており、第１側面、室内側面、第２側面が、それぞれ、第１辺１１４０、第２辺１１４１、第３辺１１４２の内面に接触している。戸先側部Ｓ２１の室外側面Ｓ２１０は、第３辺１１４２の先端（室外側端部）よりも室外側に位置している。扉体２の閉鎖姿勢時には、扉体２の室内側面部２１の主面部２１０の戸先側周縁面が戸先側部Ｓ２１の室外側面Ｓ２１０と面接触し、戸先側面部Ｓ２１０を押圧して所定寸法（例えば、１ｍｍ〜２ｍｍ）圧縮した状態となる。この圧接状態において、扉体２の室内側面部２１０の戸先側周縁面と、第３辺１１４２の先端（室外側端部）と、は依然として離間している。また、第２溝部１１４の側面を形成する第１辺１１４０は、戸先側縦辺２１２よりも外方に位置しており、戸先側部Ｓ２１の室外側面Ｓ２１０には、扉体２の室内側の角部（戸先側縦辺２１２と室内側面部２１０の戸先側周縁面とで形成される）が当接して押圧するようになっている。
【００５８】
図１０、図１３に示すように、第１溝部１２３は、見込方向に延びる垂直面１２２の室内側端部から見付方向かつ内方に延びる第１辺１２３０、第１辺１２３０の内方端から室内側へ見込方向かつ垂直状に延びる第２辺１２３１、第２辺１２３１の室内側端から見付方向かつ内方に延びる第３辺１２３２、第３辺１２３２の内方端から室外側へ見込方向かつ垂直状に延びる第４辺１２３３と、によって、垂直面１２２に対して内側（戸先側）に位置して形成されている。第２辺１２３１の先端（室外側端部）と第４辺１２３３の先端（室外側端部）は同じ垂直面上に位置している。
【００５９】
第１溝部１２３には、第１水密部材Ｓ１の戸尻側部Ｓ１２が嵌め込まれている。戸尻側部Ｓ１２は断面視略方形状を備えており、第１側面、室内側面、第２側面が、それぞれ、第２辺１２３１、第３辺１２３２、第４辺１２３３の内面に接触している。戸尻側部Ｓ１２の室外側面Ｓ１２０は、第２辺１２３１の先端（室外側端部）と第４辺１２３３の先端（室外側端部）を通る垂直面よりも室外側に位置している。扉体２の閉鎖姿勢時には、扉体２の室内側面部２１の戸尻側外縁面２１７が戸尻側部Ｓ１２の室外側面Ｓ１２０の全面に接触し、戸尻側部Ｓ１２０を押圧して所定寸法（例えば、１ｍｍ〜２ｍｍ）圧縮した状態となる。この圧接状態において、扉体２の室内側面部２１の戸尻側外縁面２１７と、第２辺１２３１の先端（室外側端部）及び第４辺１２３３の先端（室外側端部）と、は依然として離間している。
【００６０】
第２溝部１２４は、第４辺１２３３を室内側に延長して形成された第１辺１２４０、第１辺１２４０の室内側端から見付方向かつ内方に延びる第２辺１２４１、第２辺１２４１の内方端から室外側へ見込方向かつ垂直状に延びる第３辺１２４２と、によって、第１溝部１２３の室内側かつ内側に形成されている。
【００６１】
第２溝部１２４には、第２水密部材Ｓ２の戸尻側部Ｓ２２が嵌め込まれている。戸尻側部Ｓ２２は断面視略方形状を備えており、第１側面、室内側面、第２側面が、それぞれ、第１辺１２４０、第２辺１２４１、第３辺１２４２の内面に接触している。戸尻側部Ｓ２２の室外側面Ｓ２２０は、第３辺１２４２の先端（室外側端部）よりも室外側に位置している。扉体２の閉鎖姿勢時には、扉体２の室内側面部２１の主面部２１０の戸尻側周縁面が戸尻側部Ｓ２２の室外側面Ｓ２２０と面接触し、戸尻側面部Ｓ２２０を押圧して所定寸法（例えば、１ｍｍ〜２ｍｍ）圧縮した状態となる。この圧接状態において、扉体２の室内側面部２１０の戸尻側周縁面と、第３辺１２４２の先端（室外側端部）と、は依然として離間している。また、第２溝部１２４の側面を形成する第１辺１２４０は、戸尻側縦辺２１３よりも外方に位置しており、戸尻側部Ｓ２２の室外側面Ｓ２２０には、扉体２の室内側の角部（戸尻側縦辺２１３と室内側面部２１０の戸尻側周縁面とで形成される）が当接して押圧するようになっている。
【００６２】
図１１、図１２に示すように、第１溝部１３３は、傾斜面１３２の室内側端部から上方に延びる第１辺１３３０、第１辺１３３０の上端から室内側へ水平状に延びる第２辺１３３１、第２辺１３３１の室内側端から上方に延びる第３辺１３３２、第３辺１３３２の上端から室外側へ水平状に延びる第４辺１３３３と、によって、傾斜面１３２に対して上側に位置して形成されている。第２辺１３３１の先端（室外側端部）と第４辺１３３３の先端（室外側端部）は同じ垂直面上に位置している。
【００６３】
第１溝部１３３には、第１水密部材Ｓ１の下側部Ｓ１３が嵌め込まれている。下側部Ｓ１３は断面視略方形状を備えており、下面、室内側面、上面が、それぞれ、第２辺１３３１、第３辺１３３２、第４辺１３３３の内面に接触している。下側部Ｓ１３の室外側面Ｓ１３０は、第２辺１３３１の先端（室外側端部）と第４辺１３３３の先端（室外側端部）を通る垂直面よりも室外側に位置している。扉体２の閉鎖姿勢時には、扉体２の室内側面部２１の下側外縁面２１８が下側部Ｓ１３の室外側面Ｓ１３０の全面に接触し、下側部Ｓ１３０を押圧して所定寸法（例えば、１ｍｍ〜２ｍｍ）圧縮した状態となる。この圧接状態において、扉体２の室内側面部２１の下側外縁面２１８と、第２辺１３３１の先端（室外側端部）及び第４辺１３３３の先端（室外側端部）と、は依然として離間している。
【００６４】
第２溝部１３４は、第３辺１３３３を室内側に延長して形成された第１辺１３４０、第１辺１３４０の室内側端から上方に延びる第２辺１３４１、第２辺１３４１の上端から室外側へ水平状に延びる第３辺１３４２と、によって、第１溝部１３３の室内側かつ上側に形成されている。
【００６５】
第２溝部１３４には、第２水密部材Ｓ２の下側部Ｓ２３が嵌め込まれている。下側部Ｓ２３は断面視略方形状を備えており、下面、室内側面、上面が、それぞれ、第１辺１３４０、第２辺１３４１、第３辺１３４２の内面に接触している。下側部Ｓ２３の室外側面Ｓ２３０は、第３辺１３４２の先端（室外側端部）よりも室外側に位置している。扉体２の閉鎖姿勢時には、扉体２の室内側面部２１の主面部２１０の下側周縁面が下側部Ｓ２３の室外側面Ｓ２３０と面接触し、下側部Ｓ２３０を押圧して所定寸法（例えば、１ｍｍ〜２ｍｍ）圧縮した状態となる。この圧接状態において、扉体２の室内側面部２１０の下側周縁面と、第３辺１３４２の先端（室外側端部）と、は依然として離間している。また、第２溝部１３４の下面を形成する第１辺１３４０は、下側水平辺２１４よりも下方に位置しており、下側部Ｓ２３の室外側面Ｓ２３０には、扉体２の室内側の角部（下側水平辺２１４と室内側面部２１０の下側周縁面とで形成される）が当接して押圧するようになっている。
【００６６】
第１水密部材Ｓ１、第２水密部材Ｓ２は、共に、中実のゴム材料から形成されており、第１水密部材Ｓ１を形成するゴム材料は第１の硬度を備え、第２水密部材Ｓ２を形成するゴム材料は、第１の硬度よりも小さい第２の硬度を備えている。１つの実施態様では、第１の硬度は１５°（ＪＩＳＫ６２５３）であり、第２の硬度は１０°（ＪＩＳＫ６２５３）である。１つの実施態様では、第１水密部材Ｓ１は、クロロプレンゴム、第２水密部材Ｓ２は、ＥＰＤＭ（エチレン−プロピレン−ジエンゴム）からなるが、第１水密部材Ｓ１、第２水密部材Ｓ２を形成するゴム材料の種類は限定されず、当業者によって適宜選択される。
【００６７】
図示の態様では、第１水密部材Ｓ１の室外側面Ｓ１００、Ｓ１１０、Ｓ１２０、Ｓ１３０の幅は、第２水密部材Ｓ２の室外側面Ｓ２００、Ｓ２１０、Ｓ２２０、Ｓ２３０の幅よりも大きく、すなわち、  第１水密部材Ｓ１の室外側面Ｓ１００、Ｓ１１０、Ｓ１２０、Ｓ１３０の面積は、第２水密部材Ｓ２の室外側面Ｓ２００、Ｓ２１０、Ｓ２２０、Ｓ２３０の面積よりも大きい。
【００６８】
２つの四周状の第１水密部材Ｓ１、第２水密部材Ｓ２において、第１水密部材Ｓ１は第２水密部材Ｓ２に対して室外側かつ外側に位置している。より室外側かつ外側に位置し、洪水時等に最初に水圧を受ける第１水密部材Ｓ１は、当該水圧に対抗できるように、第２水密部材Ｓ２よりも、硬度が大きく、かつ、扉体２との接触面積が大きい。
【００６９】
扉体２の閉鎖時には、室内外方向（見込方向）に段差面を形成する外縁面（上側外縁面２１５、戸先側外縁面２１６、戸尻側外縁面２１７、下側外縁面２１８）、主面部２１０の周縁（上側縁、戸先側縁、戸尻側縁、下側縁）が、それぞれ、ドア枠１に設けた第１水密部材Ｓ１の室外側面Ｓ１００、Ｓ１１０、Ｓ１２０、Ｓ１３０、第２水密部材Ｓ２の室外側面Ｓ２００、Ｓ２１０、Ｓ２２０、Ｓ２３０に面接触し、第１水密部材Ｓ１、第２水密部材Ｓ２を僅かに押し込んだ状態で、扉体２は全閉姿勢となる。扉体２の全姿勢において、上側外縁面２１５、戸先側外縁面２１６、戸尻側外縁面２１７、下側外縁面２１８と、垂直状の四周辺（第１辺１０３０、第１辺１１３０、第１辺１２３０、第１辺１３３０）と、の隙間より、主面２１０の上側縁、戸先側縁、戸尻側縁、下側縁と、第３辺１０４２、１１４２、１２４２、１３４２の室外側端と、の隙間が大きくなっている。
【００７０】
第２水密部材Ｓ２の硬度は、第１水密部材Ｓ１の硬度よりも小さいため、第２水密部材Ｓ２を第１水密部材Ｓ１と同じ硬度とした場合に比べて、扉体２の閉鎖時の操作力（第１水密部材Ｓ１及び第２水密部材Ｓ２の両方を略同時に押し込む力）は、より小さくてよい。
【００７１】
図示の態様では、第１水密部材Ｓ１の室外側面Ｓ１００、Ｓ１１０、Ｓ１２０、Ｓ１３０については、全面に上側外縁面２１５、戸先側外縁面２１６、戸尻側外縁面２１７、下側外縁面２１８が面接触する一方、第２水密部材Ｓ２の室外側面Ｓ２００、Ｓ２１０、Ｓ２２０、Ｓ２３０については、面の部分に主面部２１０の上側縁、戸先側縁、戸尻側縁、下側縁が面接触するため（図示の態様では、角部が当接するため押し込む力が作用し易い）、第２水密部材Ｓ２の室外側面Ｓ２００、Ｓ２１０、Ｓ２２０、Ｓ２３０の全面に面接触させた場合に比べて、扉体２の閉鎖時の操作力（第１水密部材Ｓ１及び第２水密部材Ｓ２の両方を略同時に押し込む力）は、より小さくてよい。
【００７２】
扉体２の閉鎖姿勢時には、扉体２の室内側面部２１の上側外縁面２１５、戸先側外縁面２１６、戸尻側外縁面２１７、下側外縁面２１８が第１水密部材Ｓ１の室外側面Ｓ１００、Ｓ１１０、Ｓ１２０、Ｓ１３０に圧接した状態となって四周状の第１水密面が形成され、扉体２の室内側面部２１の主面２１０の上側縁、戸先側縁、戸尻側縁、下側縁が第２水密部材Ｓ２の室外側面Ｓ２００、Ｓ２１０、Ｓ２２０、Ｓ２３０に圧接した状態となって四周状の第２水密面が形成される。
【００７３】
第１水密面、第２水密面において、第１水密面は第２水密面に対して室外側に位置しており、また、正面視において四周状の第２水密面は四周状の第１水密面の内側に位置している。室外側に位置し、最初に水圧に曝される第１水密面は、より硬度が大きい第１水密部材Ｓ１が全面で扉体２の室内側面部２１の上側外縁面２１５（第２フレーム４の上フレーム４０の室内側垂直辺４０１及び横アングル材５の第２辺５１に支持されている）、戸先側外縁面２１６（第２フレーム４の戸先側縦フレーム４１の室内側垂直辺４１１及び縦アングル材６の第２辺６１に支持されている）、戸尻側外縁面２１７（第２フレーム４の戸尻側縦フレーム４２の第１室内側垂直辺４２１に支持されている）、下側外縁面２１８（第２フレーム４の下フレーム４３の室内側垂直面４３１に支持されている）に面接触（圧接）することで形成されており、第１水密面を形成する第１水密部材及び扉体２の外縁面は変形し難く、また、第１水密面を形成する第１水密部材Ｓ１は第２水密面を形成する第２水密部材Ｓ２よりも硬いため、外部からの浸水を良好に防ぐことができる。また、第１水密面は、水の進入路を形成する扉体２の上面部２２、戸先側面部２３、戸尻側面部２４、下面部２５と、ドア枠１の上側の水平面１０２、戸先側の垂直面１１２、戸尻側の垂直面１２２、下側の傾斜面１３２との隙間から内側（水平面１０２の下側、戸先側の垂直面１１２の戸尻側、戸尻側の垂直面１２２の戸先側、下側の傾斜面１３２の上側）に位置した奥まった部位に形成されているので、水密面が当該進入路に直接面している場合に比べて水圧の影響を受け難い。
【００７４】
第１水密面に対して室内側かつ内側（正面視）に位置する第２水密面は、第２水密部材Ｓ２が扉体２の主面２１０の上側縁（第１フレーム３の上フレーム３０の室内側垂直面３０１に支持されている）、戸先側縁（第１フレーム３の戸先側縦フレーム３１の室内側垂直面３１１に支持されている）、戸尻側縁（第２フレーム４の戸尻側縦フレーム４２の第２室内側垂直辺４２３に支持されている）、下側縁（第１フレーム３の下フレーム３３の室内側垂直面３３１に支持されて）に面接触（圧接）することで形成されており、第１水密面から漏水した水の室内への浸入を防ぐ。第２水密面を形成する第２水密部材Ｓ２の硬度は、第１水密部材Ｓ１の硬度よりも小さいが、水害発生時の水圧には第１水密面が対抗し、第２水密面によって第１水密面から漏水した水の室内側への浸入を防ぐような２重水密構造を採用することで、室内への浸水ないし漏水を可及的に防止する。
【００７５】
上述の実施形態では、第２水密部材Ｓ２の室外側面Ｓ２００、Ｓ２１０、Ｓ２２０、Ｓ２３０は、面の部分に主面部２１０の上側縁、戸先側縁、戸尻側縁、下側縁が面接触しているが、第２水密部材Ｓ２の室外側面Ｓ２００、Ｓ２１０、Ｓ２２０、Ｓ２３０は全面が主面部２１０の四周の周縁面（上側縁、戸先側縁、戸尻側縁、下側縁）に面接触するように構成してもよい。より具体的には、図１４に示すように、第２溝部１０４の上面を形成する第１辺１０４０は、上側水平辺２１１よりも下方に位置しており、上側部Ｓ２０の室外側面Ｓ２００全体に、扉体２の主面部２１０の上側縁が当接して押圧するようになっている。上側の第２溝部１０４及び第２水密部材Ｓ２の上側部Ｓ２０との関係についてのみ図示したが、第２溝部１１４、１２４、１３４と第２水密部材Ｓ２の戸先側部Ｓ２１、戸尻側部Ｓ２２、下側部Ｓ２３との関係についても同様の構成をとり得ることが当業者に理解される。また、第２水密部材Ｓ２の室外側面Ｓ２００、Ｓ２１０、Ｓ２２０、Ｓ２３０の四周全体ではなく、一部の室外側面のみを全面で対応する主面部２１０の四周の周縁面に面接触するように構成してもよい。
【符号の説明】
【００７６】
１  ドア枠
１０３、１１３、１２３、１３３  第１溝部
１０４、１１４、１２４、１３４  第２溝部
Ｓ１  第１水密部材
Ｓ１００、Ｓ１１０、Ｓ１２０、Ｓ１３０  室外側面
Ｓ２  第２水密部材
Ｓ２００、Ｓ２１０、Ｓ２２０、Ｓ２３０  室外側面
２  扉体
２０  室外側面部
２１  室内側面部
２１０  主面部
２１５  上側外縁面
２１６  戸先側外縁面
２１７  戸尻側外縁面
２１８  下側外縁面
【図１】
2014109169.tif 000003
【図２】
2014109169.tif 000004
【図３】
2014109169.tif 000005
【図４】
2014109169.tif 000006
【図５】
2014109169.tif 000007
【図６】
2014109169.tif 000008
【図７】
2014109169.tif 000009
【図８】
2014109169.tif 000010
【図９】
2014109169.tif 000011
【図１０】
2014109169.tif 000012
【図１１】
2014109169.tif 000013
【図１２】
2014109169.tif 000014
【図１３】
2014109169.tif 000015
【図１４】
2014109169.tif 000016
【図１５】
2014109169.tif 000017